(57)【要約】【課題】  樹脂配管等の可撓性のある配管でも良好に位置決めすることのできる洗い場付浴槽の配管固定構造を提供する。【解決手段】  エプロン３もしくはカウンターの前板部に、作業口５がある洗い場付浴槽において、躯体側から立ち上がった配管８を、エプロン３またはカウンター前板部の裏側の作業口５の近傍で、固定部材７を介し少なくとも水平方向に位置決めすることができる。【選択図】  図４
2005068785.tif 000002
【特許請求の範囲】
【請求項１】
エプロンもしくは、床から立ち上がったカウンターの前板部に作業口がある洗い場付浴槽において、躯体側から立ち上がった配管を、前記エプロンもしくはカウンター前板部の裏側の前記作業口の近傍で、固定部材を介し少なくとも水平方向に位置決めできるようにしたことを特徴とする洗い場付浴槽の配管固定構造。
【請求項２】
エプロンもしくは、床から立ち上がったカウンターの前板部に作業口がある洗い場付浴槽において、躯体側から立ち上がった配管を、浴槽の裏側の前記作業口の近傍で、固定部材を介し少なくとも水平方向に位置決めできるようにしたことを特徴とする洗い場付浴槽の配管固定構造。
【請求項３】
前記固定部材の位置が、前記作業口の裏側の下方近傍であることを特徴とする請求項１または請求項２に記載の洗い場付浴槽の配管固定構造。
【発明の詳細な説明】
【技術分野】
【０００１】
本発明は、洗い場付浴槽の配管固定構造に関するものである。
【背景技術】
【０００２】
従来、洗い場付浴槽においては、躯体から立ち上がった銅管等の可撓性のない一次配管と、ユニット側の水栓を、ユニット施工後に点検口から接続していた。
【特許文献１】特開９−２８６０３号公報
【発明の開示】
【発明が解決しようとする課題】
【０００３】
従来では、ユニットに対する一次配管の位置が決まらず、特に、一次配管が樹脂製の可撓性の配管である場合には、この樹脂製の配管が横になってしまったりして、立ち上がらせて接続作業を行わねばならず、配管の位置が決まらないために接続作業が困難になるという問題点があった。
【課題を解決するための手段】
【０００４】
本発明は上記従来の問題点に鑑み案出したものであって、良好に配管の位置決めができる洗い場付浴槽の配管固定構造を提供せんとするものであり、請求項１の発明では、エプロンもしくは、床から立ち上がったカウンターの前板部に作業口がある洗い場付浴槽において、躯体側から立ち上がった配管を、前記エプロンもしくはカウンター前板部の裏側の前記作業口の近傍で、固定部材を介し少なくとも水平方向に位置決めできるようにしたことである。
【０００５】
また、請求項２の発明では、エプロンもしくは、床から立ち上がったカウンターの前板部に作業口がある洗い場付浴槽において、躯体側から立ち上がった配管を、浴槽の裏側の前記作業口の近傍で、固定部材を介し少なくとも水平方向に位置決めできるようにしたことである。
【０００６】
また、請求項３の発明では、前記固定部材の位置が、前記作業口の裏側の下方近傍であることである。
【発明の効果】
【０００７】
本発明では、躯体側から立ち上がった配管を、エプロンもしくはカウンター前板部の裏側の作業口の近傍で、固定部材を介し少なくとも水平方向に位置決めできるようにしたことにより、固定部材により、作業口近傍に良好に配管を位置決めすることができ、樹脂配管等の可撓性のある配管でも、良好に決まった位置に位置決めして、ユニット側からの接続作業を良好に行うことができるものである。
また、作業口の下方近傍で位置決めすることにより、下から立ち上がる配管の接続部を作業口に良好に臨ませることができる。
【実施例】
【０００８】
以下、本発明の実施例を図面に基づいて説明する。
図１は、洗い場付浴槽を設置した浴室の斜視構成図であり、洗い場付浴槽１は、洗い場を形成する洗い場パン２に、一体または別体で、エプロン３と、前板部４ａを有するカウンター４が設けられ、これに対しエプロン３側に、別体で形成した浴槽６が接続されるものであり、浴槽６の底には床パンが存在しないものである。
【０００９】
このような洗い場付浴槽１を設置するに際し、予め躯体側から水および湯用の配管８ａ，８ｂが立ち上げられており、この躯体側から立ち上げられた配管８ａ，８ｂを、エプロン３またはカウンター４の前板部４ａに開口形成された作業口（点検口）５，５の近傍に、固定部材７を介して固定して位置決めするものである。
【００１０】
図２は、エプロン３側の作業口５の裏側に、固定部材７を介して配管８ａ，８ｂを固定した要部拡大斜視構成図であり、また図３は、エプロン３の裏側から見た固定部材７の斜視構成図である。
また図４は、エプロン３と浴槽６間の空間Ｓ内に、配管を固定した状態の縦断面拡大構成図である。
【００１１】
エプロン３の作業口５の裏側下部部位には、浴槽６側へ突出して予めボス３ａ，３ａを一体形成させておき、このボス３ａ，３ａに対し、作業口５から手を入れてビス９，９を締め付けて、固定部材７を固定することができる
固定部材７には、配管８ａ，８ｂをそれぞれ嵌め込むことのできる縦方向の縦係合凹部７ａ，７ａが一体形成されており、この縦係合凹部７ａ，７ａ内にそれぞれ配管８ａ，８ｂを嵌め込んで、配管８ａ，８ｂを固定した状態では、配管８ａ，８ｂは水平方向には動くことができず、水平方向位置が決まることとなる。
なお、垂直方向には縦係合凹部７ａ，７ａに沿って、移動できるものである。
【００１２】
このように、固定部材７を介し少なくとも水平方向に配管８ａ，８ｂを位置決めしておけば、配管の上端の接続部８ｐに、良好にユニット側の水栓を接続することができ、接続作業が容易なものとなる。
特に、配管８ａ，８ｂが可撓性の樹脂製である場合には、従来では位置決めが難しく横に倒れたりして接続作業が困難であったが、本例では作業口５の近傍に配管８ａ，８ｂが位置決めされるため、作業口５から良好に接続作業を行うことができるものである。
なお、カウンター４の前板部４ａの裏側に、配管８ａ，８ｂが立ち上げられている場合には、同様に前板部４ａにボスを形成させておき、前板部４ａの裏側で固定部材７を介して、良好に配管８ａ，８ｂを位置決めできるものである。
【００１３】
なお、更には、図４に示すように、洗い場パン２の底側に設けられている補強フレーム２ａに、固定部材７を介して、配管８ａ，８ｂを位置決めすることもできるものである。
なお、更に、図５の縦断面拡大構成図で示すように、浴槽の側面壁６ａの裏側に、空間Ｓ内に突出してボス６ｂを形成させておき、このボス６ｂに対し固定部材７をビス９で締め付けて、配管８ａ，８ｂを位置決めすることもできるものである。
【図面の簡単な説明】
【００１４】
【図１】洗い場付浴槽の設置状態の斜視構成図である。
【図２】エプロンの作業口の裏側に、固定部材を介して、配管を位置決めした状態の要部拡大斜視構成図である。
【図３】エプロンの裏側から見た固定状態の斜視構成図である。
【図４】エプロンと浴槽間の空間内に配管を固定した状態の要部縦断面拡大構成図である。
【図５】浴槽側に配管を固定した変更例の要部縦断面拡大構成図である。
【符号の説明】
【００１５】
１  洗い場付浴槽
２  洗い場パン
２ａ  補強フレーム
３  エプロン
３ａ  ボス
４  カウンター
４ａ  前板部
５  作業口
６  浴槽
６ａ  側面壁
６ｂ  ボス
７  固定部材
７ａ  縦係合凹部
８ａ，８ｂ  配管
９  ビス
Ｓ  空間
【図１】
2005068785.tif 000003
【図２】
2005068785.tif 000004
【図３】
2005068785.tif 000005
【図４】
2005068785.tif 000006
【図５】
2005068785.tif 000007